(57)【要約】空気調和機の室内ユニット本体の内部に熱交換器と熱交換器で熱交換された空気を室内に吹き出すファンとを収容し、熱交換器の上流側の本体にエアフィルタを取り付けた。また、エアフィルタに対向する吸入口を有しエアフィルタに付着した塵埃を吸入するための吸入ノズルを摺動自在に取り付け、吸入ノズルに連通し空気と共に塵埃を吸引排気する吸引排気装置を設け、吸引排気装置と吸入ノズルとを伸縮自在あるいは屈曲自在の吸引ホースにより連結した。
2004081461.tif 000002
【特許請求の範囲】
【請求項１】
熱交換器と該熱交換器で熱交換された空気を室内に吹き出すファンとを本体に収容した室内ユニットを有する空気調和機であって、
前記熱交換器の上流側の前記本体に取り付けられたエアフィルタと、該エアフィルタに対向する吸入口を有しエアフィルタに付着した塵埃を吸入するための摺動自在の吸入ノズルと、該吸入ノズルに連通し空気と共に塵埃を吸引排気する吸引排気装置と、該吸引排気装置と前記吸入ノズルとを連通させる伸縮自在の吸引ホースとを備えたことを特徴とする空気調和機。
【請求項２】
熱交換器と該熱交換器で熱交換された空気を室内に吹き出すファンとを本体に収容した室内ユニットを有する空気調和機であって、
前記熱交換器の上流側の前記本体に取り付けられたエアフィルタと、該エアフィルタに対向する吸入口を有しエアフィルタに付着した塵埃を吸入するための摺動自在の吸入ノズルと、該吸入ノズルに連通し空気と共に塵埃を吸引排気する吸引排気装置と、該吸引排気装置と前記吸入ノズルとを連通させる屈曲自在の吸引ホースとを備えたことを特徴とする空気調和機。
【請求項３】
前記吸引ホースは、その一端部が前記吸引排気装置に連結されるとともに、その他端部が前記吸引排気装置から見て前記吸入ノズルの反対側の側面に連結され、その中間部が略Ｕ字状に屈曲していることを特徴とする請求項２に記載の空気調和機。
【請求項４】
前記吸入ホースの表面の長手方向に沿って電装部品に電力を供給するリード線を設けたことを特徴とする請求項２あるいは３に記載の空気調和機。
【請求項５】
前記リード線を構成する複数の線を平形状に形成するとともに、前記吸引ホースのＵ字状屈曲部の外周部に位置していることを特徴とする請求項４に記載の空気調和機。
【請求項６】
前記吸入ホースのＵ字状屈曲部と前記リード線との間に隙間を設けたことを特徴とする請求項５に記載の空気調和機。
【請求項７】
前記吸入ホースの下方に前記リード線をガイドするガイド溝を設けたことを特徴とする請求項４乃至６のいずれか１項に記載の空気調和機。
【請求項８】
前記リード線を構成する複数の線を略円形状に結束し、前記リード線の中心線と前記吸引ホースの中心線とを一致させるようにしたことを特徴とする請求項４に記載の空気調和機。
【発明の詳細な説明】
【技術分野】  本発明は、室内ユニットの空気吸込口に設けられたエアフィルタを自動的に清掃する機能を備えた空気調和機に関するものである。
【背景技術】  従来の空気調和機は、図１２及び図１３に示すように、本体１１の内部への塵埃の侵入を防止するためのエアフィルタ５が熱交換器１０の前面に設けられており、エアフィルタ５は付着した塵埃を手で清掃できるように着脱自在に構成されている。
また、エアフィルタの清掃を容易にした空気調和機として、回転ブラシと、回転ブラシを回転自在に支持すると共にそれを覆うブラシカバーと、回転ブラシと同軸に設けられたピニオンからなるフィルタブラシを備え、電気掃除機の吸い込みノズルをブラシカバーに設けた吸引口に接続し、エアフィルタ上を移動させて、エアフィルタに堆積した塵埃を回転ブラシでかきとりながら吸引するようにしたものがある（例えば、特許文献１参照）。
また、捕集装置と、清浄装置と、吸込み機構と、吸込み機構に繋がる担持ビームと、担持ビームに接続されたホースと、真空発生器と、真空発生器の吸引側に配された分離器などで構成され、エアフィルタに付着した塵埃を自動的に吸引するとともに、その塵埃を分離器で捕集するようにしたものも提案されている（例えば、特許文献２参照）。
さらに、ベルト状のエアフィルタを張設した駆動軸及び従動軸と、駆動軸を駆動するサーボモータと、ブラシと、排気管に配設された塵埃センサー及びファンと、エアフィルタの連続使用時間を算出する演算処理手段と、制御手段とを備え、ベルト状のエアフィルタを回転させながらブラシで塵埃を除去するようにしたものもある（例えば、特許文献３参照）。
【特許文献１】：特開平１１−２２６３３１号公報（第２頁、図１〜４）
【特許文献２】：特開平１−７５０２０号公報（第１〜９頁、第４図）
【特許文献３】：特開平６−７４５２１号公報（第２頁、図１）
しかしながら、着脱式のエアフィルタを備えた従来の空気清浄機では、空気調和機の使用頻度に応じて空気調和機よりエアフィルタを取り外し、水洗いもしくは掃除機などで付着した塵埃を掃除するというメンテナンスを定期的にする必要があり面倒であった。そして周期的なメンテナンスが成されなかった場合、エアフィルタに塵埃が堆積し吸込み空気の通気抵抗が増大することから空気調和機の性能が低下したり消費電力が増大するという課題があった。
また、特許文献１に開示されたものでは、エアフィルタを清掃する都度電気掃除機を取りだし、その吸い込みノズルをブラシカバーの吸引口に接続し、エアフィルタ上を移動させなければならず、非常に手間と時間を要するという問題があった。
また、特許文献２に記載されたフィルタ装置の場合、エアフィルタに付いた塵埃は自動的に吸引されるが、その吸引された塵埃は分離器に捕集されるので、定期的に分離器に堆積した塵埃を取り除いて処理する必要があり、面倒であると共に、それを怠ると、エアフィルタに付いた塵埃が除去されなくなり、吸込み空気の通気抵抗が増大して空気調和機の性能が低下したり、消費電力も増大するという課題があった。
さらに、特許文献３に開示された空気調和機の場合、エアフィルタの全幅と略同じ長さの長尺のブラシが必要となり、また、エアフィルタがベルト状になっているため厚みが増大し、本体の奥行きサイズが大きくなるという課題があった。
本発明は、従来技術の有するこのような問題点に鑑みてなされたものであり、エアフィルタの清掃やメンテナンスが極めて容易で、十分な性能を維持できるとともに消費電力の増加を防止することができるエアフィルタの自動清掃機能付き室内ユニットを備えた空気調和機を提供することを目的としている。
【発明の開示】
上記目的を達成するため、本発明は、熱交換器と該熱交換器で熱交換された空気を室内に吹き出すファンとを本体に収容した室内ユニットを有する空気調和機であって、熱交換器の上流側の本体に取り付けられたエアフィルタと、該エアフィルタに対向する吸入口を有しエアフィルタに付着した塵埃を吸入するための摺動自在の吸入ノズルと、該吸入ノズルに連通し空気と共に塵埃を吸引排気する吸引排気装置と、該吸引排気装置と吸入ノズルとを連通させる伸縮自在あるいは屈曲自在の吸引ホースとを備えたことを特徴とする。
この構成により、エアフィルタの清掃を自動的に行うことが可能になり、空気調和機の所定の性能を維持することができるとともに消費電力の増大を防止することができる。
また、屈曲自在の吸引ホースは、その一端部が吸引排気装置に連結されるとともに、その他端部が吸引排気装置から見て吸入ノズルの反対側の側面に連結され、その中間部が略Ｕ字状に屈曲している。
さらに、吸入ホースの表面の長手方向に沿って電装部品に電力を供給するリード線を設けることもでき、この場合、リード線を構成する複数の線を平形状に形成するとともに、吸引ホースのＵ字状屈曲部の外周部に位置させるようにすると、吸引ホースの屈曲動作に応じてリード線も屈曲することになり、リード線に無理な応力が加わることなく簡単に引き廻すことができる。
また、吸入ホースのＵ字状屈曲部とリード線との間に隙間を設けると、吸引ホースのＵ字状屈曲部が吸引ホースと摩擦接触することがなく、断線し難くなる。
また、吸入ホースの下方にリード線をガイドするガイド溝を設けると、吸引ホースに対してリード線がずれることがなく、安定した屈曲動作と収納を確保することができる。
あるいは、リード線を構成する複数の線を略円形状に結束し、リード線の中心線と吸引ホースの中心線とを一致させるようにしてもよく、この場合、吸引ホースの屈曲動作に応じてリード線も同様に屈曲するため、双方に無理な力が掛かることなく安全に引き廻すことができる。
【図面の簡単な説明】  図１は、本発明の実施の形態１にかかる空気調和機の室内ユニットの正面図である。
図２は、図１における線Ｉ−Ｉに沿った断面図である。
図３は、図１における線ＩＩ−ＩＩに沿った断面図である。
図４は、図１の室内ユニットに設けられたフィルタ装置の斜視図である。
図５Ａは、図４のフィルタ装置に設けられた吸入ノズルの縦断面図である。
図５Ｂは、図５Ａの吸入ノズルの部分断面正面図である。
図６は、本発明の実施の形態２にかかる空気調和機の室内ユニットに設けられたフィルタ装置の斜視図である。
図７は、フィルタ装置の変形例を示す斜視図である。
図８は、図７のフィルタ装置に設けられた吸引ホースの斜視図である。
図９は、図８の吸引ホースの屈曲部の正面図である。
図１０は、吸引ホースの変形例を示す断面図である。
図１１は、吸引ホースの別の変形例を示す斜視図である。
図１２は、従来の空気調和機の室内ユニットの正面図である。
図１３は、図１２における線ＩＩＩ−ＩＩＩに沿った断面図である。
【発明を実施するための最良の形態】  以下、本発明の実施の形態について、図面を参照しながら説明する。
実施の形態１．
図１乃至図３は本発明の実施の形態１にかかる空気調和機の室内ユニットを示しており、図１は室内ユニットの正面図で、図２及び図３はそれぞれ図１における線Ｉ−Ｉ及び線ＩＩ−ＩＩに沿った断面図である。
図１乃至図３に示すように、室内ユニットの本体１１は、熱交換器１０と、熱交換器１０を通して室内の空気を取り入れ熱交換された空気を吹き出すためのファン１４と、熱交換器１０の上流側に配置されたフィルタ装置１を内蔵している。
図４に示すように、フィルタ装置１は、本体１１と熱交換器１０との間に設けられたフィルタ枠２と、フィルタ枠２に着脱自在に取り付けられ本体内に流入する空気に含まれる塵埃を除去するエアフィルタ５と、エアフィルタ５と本体１１との間に設けられエアフィルタ５に対向して左右（矢印Ａ方向）に摺動自在の吸入ノズル４と、一端が吸入ノズル４の下端に連結された伸縮自在の蛇腹構造を有する吸引ホース３と、吸引ホース３の他端に連結された吸引排気装置６と、一端が吸引排気装置６の排気側に接続され他端が室外に開口した排気ダクト７とを備えている。また、吸入ノズル４の下端は、駆動用ワイヤ８を介して駆動モータ９に連結されており、吸入ノズル４は、その上端部及び下端部がフィルタ枠２と一体的に形成された上レール１２及び下レール１３に摺接している。
また、図５Ａ及び図５Ｂに示すように、吸入ノズル４はエアフィルタ５の形状と合致するように中間部が屈曲しており、吸入ノズル４にはエアフィルタ５に対向してスリット状に開口した吸入口４ａが形成されている。
上記構成のフィルタ装置１の動作を以下説明する。
空気調和機の運転停止後に、吸引排気装置６が運転を開始すると、吸引ホース３に連通する吸入ノズル４の吸入口４ａから空気を吸い込み始める。そして、エアフィルタ５の一端側に位置していた吸入ノズル４が、駆動モータ９に連結された駆動用ワイヤ８によりエアフィルタ５の他端側に向かって矢印Ａの方向に摺動しながら、エアフィルタ５の表面に付着した塵埃を吸い取り、排気ダクト７から室外へ排出する。吸入ノズル４がエアフィルタ５の表面を全面清掃し、エアフィルタ５の他端側に到達したときに駆動モータ９を逆回転させると、吸入ノズル４は初期の位置に戻る方向に移動して、再度エアフィルタ５の表面を清掃することが可能となる。
なお、吸入ノズル４と吸引排気装置６とを連結する吸引ホース３は伸縮自在に構成されていることから、吸入ノズル４の摺動に伴って吸引ホース３が伸縮するので、吸入ノズル４はその位置に関係なく吸引排気装置６と常に連通している。
実施の形態２．
図６は、本発明の実施の形態２にかかる空気調和機の室内ユニットに設けられたフィルタ装置１の斜視図であり、このフィルタ装置１は、吸入ノズル４と吸引排気装置６とを連結する屈曲自在の吸引ホース３を備えている。吸引ホース３は、その一端部が吸引排気装置６に連結される一方、その他端部は吸引排気装置６から見て吸入ノズル４の下端部における反対側の側面に連結されており、その中間部は略Ｕ字状に屈曲している。
上記構成のフィルタ装置１において、吸引排気装置６が運転を開始すると、エアフィルタ５の一端側に位置していた吸入ノズル４は、駆動モータ９に連結された駆動用ワイヤ８により矢印Ａの方向に摺動するが、吸入ノズル４と吸引排気装置６とを連結する吸引ホース３は屈曲自在に構成されていることから、吸入ノズル４の摺動に伴って吸引ホース３が屈曲するので、吸入ノズル４はその位置に関係なく吸引排気装置６と常に連通している。
なお、吸引ホース３の長さは、吸引ノズル４がエアフィルタ５の他端側に位置したとき、吸引ホース３が多少ゆとりをもって屈曲できるように設定されている。
図７はフィルタ装置１の変形例を示しており、図８は図７のフィルタ装置１に設けられた吸引ホース３を示している。
図７及び図８に示すように、吸引ホース３には、吸入ノズル４に設けられた電装部品（図示せず）に電力を供給するためのリード線１５が取り付けられている。リード線１５を構成する複数の線１５ａは一体的に平形状に形成され、吸引ホース３の長手方向に沿い、しかも吸引ホース３のＵ字状屈曲部３ａの外周部に位置している。
電装部品は特に図示しないが、効率的に塵埃を吸い込めるように吸入口４ａの大きさを変えるために設けられた開閉調整手段を駆動するモータや、エアフィルタ５に付着した塵埃を掻き取る為に設けられた回転ブラシを回転駆動するモータ等である。
上記構成のフィルタ装置１において、吸引排気装置６が運転を開始すると、エアフィルタ５の一端側に位置していた吸入ノズル４が駆動モータ９に連結された駆動用ワイヤ８により矢印Ａの方向に摺動する。このとき、吸引ホース３に接するように電装部品用のリード線１５が設けられているので、吸引ホース３の屈曲動作に応じてリード線１５も屈曲する。
また、リード線１５を構成する複数の線１５ａは一体的に平形状に形成されているので、リード線１５を薄くすることができ、小スペースで引き廻すことができる。
さらに、図９に示すように、リード線１５と吸引ホース３のＵ字状屈曲部３ａとの間に隙間Ｂを設けるようにすれば、吸引ホース３のＵ字状屈曲部３ａ外周の伸縮による擦れを防止することができ、リード線１５の早期劣化を防止することができる。
図１０は、吸引ホース３の別の変形例を示しており、吸引ホース３の下方にリード線１５用のガイド溝１６を設けたものである。この例では、吸引ホース３に対しリード線１５が横方向（室内ユニットの前後方向）にずれることがなく、安定した屈曲動作と収納を確保することができるとともに、リード線１５が外れて他の機構部品に引っ掛かって断線することもない。
図１１は、吸引ホース３のさらに別の変形例を示しており、リード線１５を構成する複数の線１５ａを可能な限り円形に近い形に止め輪１７で複数ヶ所を結束したものである。この例では、リード線１５を吸引ホース３の側面（正面側）に正面から見て吸引ホース３の中心線とリード線１５の中心線が一致するように設けており、吸引ホース３の屈曲動作に応じてリード線１５も同様に屈曲動作を行うので、複数の線１５ａの相互間に無理な力が掛かることなく安全に引き廻すことができるものである。
なお、上記実施の形態において、エアフィルタ５はフィルタ枠２に着脱自在に取り付けられているが、フィルタ枠２は本体１１の一部であってもよく、エアフィルタ５を本体１１に固定し、着脱できない構成にすることもできる。しかしながら、エアフィルタ６を本体１１に着脱自在に取り付けると、吸入ノズル４の吸引清掃動作では除去できない塵埃、油などを容易に清掃することができる。
また、上記実施の形態において、空気調和機の運転停止後に吸引排気装置６が運転を開始するようにしたが、空気調和機の運転前あるいは運転中に吸引排気装置６を運転するようにしてもよい。
また、上記実施の形態において、吸引排気装置６に排気ダクト７を接続し、吸引排気装置６で吸引した塵埃を空気とともに室外に排出するようにしたが、排気ダクト７は必ずしも設ける必要はない。この場合、吸引排気装置６に集塵ネットを有する着脱自在の集塵ケースを設け、吸引排気装置６で吸引した塵埃を集塵ネットで捕集する一方、塵埃とともに吸引された空気を吸引排気装置６より排出すればよく、集塵ネットで捕集した塵埃は集塵ケースを吸引排気装置６より取り外すことにより除去することができる。
【図１】
2004081461.tif 000003
【図２】
2004081461.tif 000004
【図３】
2004081461.tif 000005
【図４】
2004081461.tif 000006
2004081461.tif 000007
【図６】
2004081461.tif 000008
【図７】
2004081461.tif 000009
【図８】
2004081461.tif 000010
【図９】
2004081461.tif 000011
【図１０】
2004081461.tif 000012
【図１１】
2004081461.tif 000013
【図１２】
2004081461.tif 000014
【図１３】
2004081461.tif 000015
【手続補正書】
【提出日】平成17年10月20日(2005.10.20)
【手続補正１】
【補正対象書類名】特許請求の範囲
【補正対象項目名】全文
【補正方法】変更
【補正の内容】
【特許請求の範囲】
【請求項１】
熱交換器と該熱交換器で熱交換された空気を室内に吹き出すファンとを本体に収容した室内ユニットを有する空気調和機であって、
前記熱交換器の上流側の前記本体に取り付けられたエアフィルタと、該エアフィルタに対向する吸入口を有しエアフィルタに付着した塵埃を吸入するための摺動自在の吸入ノズルと、該吸入ノズルに連通し空気と共に塵埃を吸引排気する吸引排気装置と、該吸引排気装置と前記吸入ノズルとを連通させる伸縮自在の吸引ホースとを備えたことを特徴とする空気調和機。
【請求項２】
熱交換器と該熱交換器で熱交換された空気を室内に吹き出すファンとを本体に収容した室内ユニットを有する空気調和機であって、
前記熱交換器の上流側の前記本体に取り付けられたエアフィルタと、該エアフィルタに対向する吸入口を有しエアフィルタに付着した塵埃を吸入するための摺動自在の吸入ノズルと、該吸入ノズルに連通し空気と共に塵埃を吸引排気する吸引排気装置と、該吸引排気装置と前記吸入ノズルとを連通させる屈曲自在の吸引ホースとを備えたことを特徴とする空気調和機。
【請求項３】
前記吸引ホースは、その一端部が前記吸引排気装置に連結されるとともに、その他端部が前記吸引排気装置から見て前記吸入ノズルの反対側の側面に連結され、その中間部が略Ｕ字状に屈曲していることを特徴とする請求項２に記載の空気調和機。
【請求項４】
前記吸入ホースの表面の長手方向に沿って電装部品に電力を供給するリード線を設けたことを特徴とする請求項２あるいは３に記載の空気調和機。
【請求項５】
前記リード線を構成する複数の線を平形状に形成するとともに、前記吸引ホースのＵ字状屈曲部の外周部に位置していることを特徴とする請求項４に記載の空気調和機。
【請求項６】
前記吸入ホースのＵ字状屈曲部と前記リード線との間に隙間を設けたことを特徴とする請求項５に記載の空気調和機。
【請求項７】
前記吸入ホースの下方に前記リード線をガイドするガイド溝を設けたことを特徴とする請求項４乃至６のいずれか１項に記載の空気調和機。
【請求項８】
前記リード線を構成する複数の線を略円形状に結束し、前記リード線の中心線と前記吸引ホースの中心線とを一致させるようにしたことを特徴とする請求項４に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、室内ユニットの空気吸込口に設けられたエアフィルタを自動的に清掃する機能を備えた空気調和機に関するものである。
【背景技術】
【０００２】
従来の空気調和機は、図１２及び図１３に示すように、本体１１の内部への塵埃の侵入を防止するためのエアフィルタ５が熱交換器１０の前面に設けられており、エアフィルタ５は付着した塵埃を手で清掃できるように着脱自在に構成されている。
【０００３】
また、エアフィルタの清掃を容易にした空気調和機として、回転ブラシと、回転ブラシを回転自在に支持すると共にそれを覆うブラシカバーと、回転ブラシと同軸に設けられたピニオンからなるフィルタブラシを備え、電気掃除機の吸い込みノズルをブラシカバーに設けた吸引口に接続し、エアフィルタ上を移動させて、エアフィルタに堆積した塵埃を回転ブラシでかきとりながら吸引するようにしたものがある（例えば、特許文献１参照）。
【０００４】
また、捕集装置と、清浄装置と、吸込み機構と、吸込み機構に繋がる担持ビームと、担持ビームに接続されたホースと、真空発生器と、真空発生器の吸引側に配された分離器などで構成され、エアフィルタに付着した塵埃を自動的に吸引するとともに、その塵埃を分離器で捕集するようにしたものも提案されている（例えば、特許文献２参照）。
【０００５】
さらに、ベルト状のエアフィルタを張設した駆動軸及び従動軸と、駆動軸を駆動するサーボモータと、ブラシと、排気管に配設された塵埃センサー及びファンと、エアフィルタの連続使用時間を算出する演算処理手段と、制御手段とを備え、ベルト状のエアフィルタを回転させながらブラシで塵埃を除去するようにしたものもある（例えば、特許文献３参照）。
【特許文献１】特開平１１−２２６３３１号公報（第２頁、図１〜４）
【特許文献２】特開平１−７５０２０号公報（第１〜９頁、第４図）
【特許文献３】特開平６−７４５２１号公報（第２頁、図１）
【０００６】
しかしながら、着脱式のエアフィルタを備えた従来の空気清浄機では、空気調和機の使用頻度に応じて空気調和機よりエアフィルタを取り外し、水洗いもしくは掃除機などで付着した塵埃を掃除するというメンテナンスを定期的にする必要があり面倒であった。そして周期的なメンテナンスが成されなかった場合、エアフィルタに塵埃が堆積し吸込み空気の通気抵抗が増大することから空気調和機の性能が低下したり消費電力が増大するという課題があった。
【０００７】
また、特許文献１に開示されたものでは、エアフィルタを清掃する都度電気掃除機を取りだし、その吸い込みノズルをブラシカバーの吸引口に接続し、エアフィルタ上を移動させなければならず、非常に手間と時間を要するという問題があった。
【０００８】
また、特許文献２に記載されたフィルタ装置の場合、エアフィルタに付いた塵埃は自動的に吸引されるが、その吸引された塵埃は分離器に捕集されるので、定期的に分離器に堆積した塵埃を取り除いて処理する必要があり、面倒であると共に、それを怠ると、エアフィルタに付いた塵埃が除去されなくなり、吸込み空気の通気抵抗が増大して空気調和機の性能が低下したり、消費電力も増大するという課題があった。
【０００９】
さらに、特許文献３に開示された空気調和機の場合、エアフィルタの全幅と略同じ長さの長尺のブラシが必要となり、また、エアフィルタがベルト状になっているため厚みが増大し、本体の奥行きサイズが大きくなるという課題があった。
【００１０】
本発明は、従来技術の有するこのような問題点に鑑みてなされたものであり、エアフィルタの清掃やメンテナンスが極めて容易で、十分な性能を維持できるとともに消費電力の増加を防止することができるエアフィルタの自動清掃機能付き室内ユニットを備えた空気調和機を提供することを目的としている。
【発明の開示】
【００１１】
上記目的を達成するため、本発明は、熱交換器と該熱交換器で熱交換された空気を室内に吹き出すファンとを本体に収容した室内ユニットを有する空気調和機であって、熱交換器の上流側の本体に取り付けられたエアフィルタと、該エアフィルタに対向する吸入口を有しエアフィルタに付着した塵埃を吸入するための摺動自在の吸入ノズルと、該吸入ノズルに連通し空気と共に塵埃を吸引排気する吸引排気装置と、該吸引排気装置と吸入ノズルとを連通させる伸縮自在あるいは屈曲自在の吸引ホースとを備えたことを特徴とする。
【００１２】
この構成により、エアフィルタの清掃を自動的に行うことが可能になり、空気調和機の所定の性能を維持することができるとともに消費電力の増大を防止することができる。
【００１３】
また、屈曲自在の吸引ホースは、その一端部が吸引排気装置に連結されるとともに、その他端部が吸引排気装置から見て吸入ノズルの反対側の側面に連結され、その中間部が略Ｕ字状に屈曲している。
【００１４】
さらに、吸入ホースの表面の長手方向に沿って電装部品に電力を供給するリード線を設けることもでき、この場合、リード線を構成する複数の線を平形状に形成するとともに、吸引ホースのＵ字状屈曲部の外周部に位置させるようにすると、吸引ホースの屈曲動作に応じてリード線も屈曲することになり、リード線に無理な応力が加わることなく簡単に引き廻すことができる。
【００１５】
また、吸入ホースのＵ字状屈曲部とリード線との間に隙間を設けると、吸引ホースのＵ字状屈曲部が吸引ホースと摩擦接触することがなく、断線し難くなる。
【００１６】
また、吸入ホースの下方にリード線をガイドするガイド溝を設けると、吸引ホースに対してリード線がずれることがなく、安定した屈曲動作と収納を確保することができる。
【００１７】
あるいは、リード線を構成する複数の線を略円形状に結束し、リード線の中心線と吸引ホースの中心線とを一致させるようにしてもよく、この場合、吸引ホースの屈曲動作に応じてリード線も同様に屈曲するため、双方に無理な力が掛かることなく安全に引き廻すことができる。
【発明を実施するための最良の形態】
【００１８】
以下、本発明の実施の形態について、図面を参照しながら説明する。
【００１９】
実施の形態１．
図１乃至図３は本発明の実施の形態１にかかる空気調和機の室内ユニットを示しており、図１は室内ユニットの正面図で、図２及び図３はそれぞれ図１における線Ｉ−Ｉ及び線II−IIに沿った断面図である。
【００２０】
図１乃至図３に示すように、室内ユニットの本体１１は、熱交換器１０と、熱交換器１０を通して室内の空気を取り入れ熱交換された空気を吹き出すためのファン１４と、熱交換器１０の上流側に配置されたフィルタ装置１を内蔵している。
【００２１】
図４に示すように、フィルタ装置１は、本体１１と熱交換器１０との間に設けられたフィルタ枠２と、フィルタ枠２に着脱自在に取り付けられ本体内に流入する空気に含まれる塵埃を除去するエアフィルタ５と、エアフィルタ５と本体１１との間に設けられエアフィルタ５に対向して左右（矢印Ａ方向）に摺動自在の吸入ノズル４と、一端が吸入ノズル４の下端に連結された伸縮自在の蛇腹構造を有する吸引ホース３と、吸引ホース３の他端に連結された吸引排気装置６と、一端が吸引排気装置６の排気側に接続され他端が室外に開口した排気ダクト７とを備えている。また、吸入ノズル４の下端は、駆動用ワイヤ８を介して駆動モータ９に連結されており、吸入ノズル４は、その上端部及び下端部がフィルタ枠２と一体的に形成された上レール１２及び下レール１３に摺接している。
【００２２】
また、図５Ａ及び図５Ｂに示すように、吸入ノズル４はエアフィルタ５の形状と合致するように中間部が屈曲しており、吸入ノズル４にはエアフィルタ５に対向してスリット状に開口した吸入口４ａが形成されている。
【００２３】
上記構成のフィルタ装置１の動作を以下説明する。
【００２４】
空気調和機の運転停止後に、吸引排気装置６が運転を開始すると、吸引ホース３に連通する吸入ノズル４の吸入口４ａから空気を吸い込み始める。そして、エアフィルタ５の一端側に位置していた吸入ノズル４が、駆動モータ９に連結された駆動用ワイヤ８によりエアフィルタ５の他端側に向かって矢印Ａの方向に摺動しながら、エアフィルタ５の表面に付着した塵埃を吸い取り、排気ダクト７から室外へ排出する。吸入ノズル４がエアフィルタ５の表面を全面清掃し、エアフィルタ５の他端側に到達したときに駆動モータ９を逆回転させると、吸入ノズル４は初期の位置に戻る方向に移動して、再度エアフィルタ５の表面を清掃することが可能となる。
【００２５】
なお、吸入ノズル４と吸引排気装置６とを連結する吸引ホース３は伸縮自在に構成されていることから、吸入ノズル４の摺動に伴って吸引ホース３が伸縮するので、吸入ノズル４はその位置に関係なく吸引排気装置６と常に連通している。
【００２６】
実施の形態２．
図６は、本発明の実施の形態２にかかる空気調和機の室内ユニットに設けられたフィルタ装置１の斜視図であり、このフィルタ装置１は、吸入ノズル４と吸引排気装置６とを連結する屈曲自在の吸引ホース３を備えている。吸引ホース３は、その一端部が吸引排気装置６に連結される一方、その他端部は吸引排気装置６から見て吸入ノズル４の下端部における反対側の側面に連結されており、その中間部は略Ｕ字状に屈曲している。
【００２７】
上記構成のフィルタ装置１において、吸引排気装置６が運転を開始すると、エアフィルタ５の一端側に位置していた吸入ノズル４は、駆動モータ９に連結された駆動用ワイヤ８により矢印Ａの方向に摺動するが、吸入ノズル４と吸引排気装置６とを連結する吸引ホース３は屈曲自在に構成されていることから、吸入ノズル４の摺動に伴って吸引ホース３が屈曲するので、吸入ノズル４はその位置に関係なく吸引排気装置６と常に連通している。
【００２８】
なお、吸引ホース３の長さは、吸引ノズル４がエアフィルタ５の他端側に位置したとき、吸引ホース３が多少ゆとりをもって屈曲できるように設定されている。
【００２９】
図７はフィルタ装置１の変形例を示しており、図８は図７のフィルタ装置１に設けられた吸引ホース３を示している。
【００３０】
図７及び図８に示すように、吸引ホース３には、吸入ノズル４に設けられた電装部品（図示せず）に電力を供給するためのリード線１５が取り付けられている。リード線１５を構成する複数の線１５ａは一体的に平形状に形成され、吸引ホース３の長手方向に沿い、しかも吸引ホース３のＵ字状屈曲部３ａの外周部に位置している。
【００３１】
電装部品は特に図示しないが、効率的に塵埃を吸い込めるように吸入口４ａの大きさを変えるために設けられた開閉調整手段を駆動するモータや、エアフィルタ５に付着した塵埃を掻き取る為に設けられた回転ブラシを回転駆動するモータ等である。
【００３２】
上記構成のフィルタ装置１において、吸引排気装置６が運転を開始すると、エアフィルタ５の一端側に位置していた吸入ノズル４が駆動モータ９に連結された駆動用ワイヤ８により矢印Ａの方向に摺動する。このとき、吸引ホース３に接するように電装部品用のリード線１５が設けられているので、吸引ホース３の屈曲動作に応じてリード線１５も屈曲する。
【００３３】
また、リード線１５を構成する複数の線１５ａは一体的に平形状に形成されているので、リード線１５を薄くすることができ、小スペースで引き廻すことができる。
【００３４】
さらに、図９に示すように、リード線１５と吸引ホース３のＵ字状屈曲部３ａとの間に隙間Ｂを設けるようにすれば、吸引ホース３のＵ字状屈曲部３ａ外周の伸縮による擦れを防止することができ、リード線１５の早期劣化を防止することができる。
【００３５】
図１０は、吸引ホース３の別の変形例を示しており、吸引ホース３の下方にリード線１５用のガイド溝１６を設けたものである。この例では、吸引ホース３に対しリード線１５が横方向（室内ユニットの前後方向）にずれることがなく、安定した屈曲動作と収納を確保することができるとともに、リード線１５が外れて他の機構部品に引っ掛かって断線することもない。
【００３６】
図１１は、吸引ホース３のさらに別の変形例を示しており、リード線１５を構成する複数の線１５ａを可能な限り円形に近い形に止め輪１７で複数ヶ所を結束したものである。この例では、リード線１５を吸引ホース３の側面（正面側）に正面から見て吸引ホース３の中心線とリード線１５の中心線が一致するように設けており、吸引ホース３の屈曲動作に応じてリード線１５も同様に屈曲動作を行うので、複数の線１５ａの相互間に無理な力が掛かることなく安全に引き廻すことができるものである。
【００３７】
なお、上記実施の形態において、エアフィルタ５はフィルタ枠２に着脱自在に取り付けられているが、フィルタ枠２は本体１１の一部であってもよく、エアフィルタ５を本体１１に固定し、着脱できない構成にすることもできる。しかしながら、エアフィルタ６を本体１１に着脱自在に取り付けると、吸入ノズル４の吸引清掃動作では除去できない塵埃、油などを容易に清掃することができる。
【００３８】
また、上記実施の形態において、空気調和機の運転停止後に吸引排気装置６が運転を開始するようにしたが、空気調和機の運転前あるいは運転中に吸引排気装置６を運転するようにしてもよい。
【００３９】
また、上記実施の形態において、吸引排気装置６に排気ダクト７を接続し、吸引排気装置６で吸引した塵埃を空気とともに室外に排出するようにしたが、排気ダクト７は必ずしも設ける必要はない。この場合、吸引排気装置６に集塵ネットを有する着脱自在の集塵ケースを設け、吸引排気装置６で吸引した塵埃を集塵ネットで捕集する一方、塵埃とともに吸引された空気を吸引排気装置６より排出すればよく、集塵ネットで捕集した塵埃は集塵ケースを吸引排気装置６より取り外すことにより除去することができる。
【図面の簡単な説明】
【００４０】
【図１】本発明の実施の形態１にかかる空気調和機の室内ユニットの正面図である。
【図２】図１における線Ｉ−Ｉに沿った断面図である。
【図３】図１における線II−IIに沿った断面図である。
【図４】図１の室内ユニットに設けられたフィルタ装置の斜視図である。
【図５Ａ】図４のフィルタ装置に設けられた吸入ノズルの縦断面図である。
【図５Ｂ】図５Ａの吸入ノズルの部分断面正面図である。
【図６】本発明の実施の形態２にかかる空気調和機の室内ユニットに設けられたフィルタ装置の斜視図である。
【図７】フィルタ装置の変形例を示す斜視図である。
【図８】図７のフィルタ装置に設けられた吸引ホースの斜視図である。
【図９】図８の吸引ホースの屈曲部の正面図である。
【図１０】吸引ホースの変形例を示す断面図である。
【図１１】吸引ホースの別の変形例を示す斜視図である。
【図１２】従来の空気調和機の室内ユニットの正面図である。
【図１３】図１２における線III−IIIに沿った断面図である。
【手続補正３】
【補正対象書類名】図面
【補正対象項目名】全図
【補正方法】変更
【補正の内容】
【図１】
2004081461.tif 000016
【図２】
2004081461.tif 000017
【図３】
2004081461.tif 000018
【図４】
2004081461.tif 000019
【図５Ａ】
2004081461.tif 000020
【図５Ｂ】
2004081461.tif 000021
【図６】
2004081461.tif 000022
【図７】
2004081461.tif 000023
【図８】
2004081461.tif 000024
【図９】
2004081461.tif 000025
【図１０】
2004081461.tif 000026
【図１１】
2004081461.tif 000027
【図１２】
2004081461.tif 000028
【図１３】
2004081461.tif 000029
【国際調査報告】
2004081461.tif 000030
2004081461.tif 000031